(57)【要約】      （修正有）【課題】勾配屋根を貫通する煙道において、雨仕舞いのよく、工程の大幅短縮が可能な架台付フラッシングを提供する。【解決手段】専用一体型水切り５を取付けたこと、立上がりのある架台１を設けたこと、フラッシング２はキャップ型としたこと、そのキャップ型フラッシング２上にレーザー溶接等によりストームカラー４を固定した二重煙突６を接続すること、その接続バンドのすぐ上部分(下段)には後付ストームカラー４を取付けること、ストームカラー４は上段、下段と２段としたこと。架台内部、天井部分すべて不燃構造としたこと、金属製天井仕切り板８をビス等でとめる事により架台内部がすぐ点検できるようにしてあること。【選択図】図１
2007051439.tif 000002
【特許請求の範囲】
【請求項１】
燃焼物の煙道において  フラッシングの架台が建物の垂木の上に設けられた野地板の上に取り付けられ、架台の上に煙突の支持金具が設けられ、そしてまたキャップ型構造のフラッシングが取り付けられていることを特徴とする屋根勾配型架台付キャップ型フラッシング構造体。
【請求項２】
架台に一体型、または上下2分割等の水切りを付けていること  そして水切りの上、左右に水きりの谷側の先や山側の先端に水返しを付けたことを特徴とする請求項1記載の屋根勾配型架台付キャップ型フラッシング構造体。
【請求項３】
架台が木製又は金属製であることを特徴とする請求項1、2.記載の屋根勾配型架台付キャップ型フラッシング構造体。
【請求項４】
架台の内部、天井に不燃構造にしたことを特徴とする請求項1、2  ,3記載の屋根勾配型架台付キャップ型フラッシング構造体。
【請求項５】
フラッシングのすぐ上に二重断熱煙突の接続をもうけたこと、この接続から５０ｍｍ〜７０ｍｍくらいのところにレーザー溶接等により固定のストームカラーを取付けた二重断熱煙突を接続し、その接続部分のすぐ上に後付のストームカラーを取付けたことを特徴とする請求項1.2.3.4.記載の屋根勾配型架台付キャップ型フラッシング構造体及びその施工方法。
【発明の詳細な説明】
【技術分野】
【０００１】
本発明は家屋に設置して薪や石炭等の固形燃料を燃焼させてでる排煙をスムーズに煙道に導き、雨漏りを起こさせない屋根勾配型架台付キャップ型フラッシング構造体に関するものである。そしてまた液体燃料や気体燃料のストーブ、燃焼物にも使用することも可能である。
【背景技術】
【０００２】
従来、ストーブの煙突は屋根抜きが良いといわれているので  すすめていますが雨漏り心配で屋根抜きをしないで壁抜きをする方法が多く施工されていることが知られている。
【０００３】
このように屋根抜きが良いといわれていても雨漏りが心配で屋根抜きタイプの煙道ができないという欠点がありました。
【０００４】
わが国ように雨の多い国でも最近、洋風の家に合う  天窓がたくさん使用されるようになってきているので、雨漏りを減らせる方法もあると考えられる。
特許文献  1        特許公開  平10−37410
発明の開示
発明が解決しようとする課題
【０００５】
解決しようとする問題点は、前述の天窓のように雨押さえ、水切りシート等を使うことにより雨漏りを減らせる方法もあると考えられる。
しかし長年水切りシートを使用していると雨漏れしてしまう現象がおきる、それはシーリング処理材にたよることによる、生ずる現象である。専用水切りを使用してないことは雨漏りを食止めることができないと考えられる。
またわが国には瓦や金属板金葺き、平板葺き等の種類の屋根材が
たくさんありますので、なかなか雨仕舞いができないでいるのが現状です。
【０００６】
シーリング材処理（コーキング材  ）で雨仕舞いをするというのが一般的に知られている。
【０００７】
大事に使えば  ストーブ本体、煙突自体も約20年ともつものである、しかしシーリング材は約  5.  6年しか  もたないとされている。  そして建築法が改正され、雨漏りは  瑕疵保証10年と決められために  雨漏れは工務店の責任になるので煙道を屋根抜き施工にする工務店が少ないというのが現状です。
【０００８】
専用の水切りもなく、何年も持たないといわれているシーリング処理に頼るという結果になってしまうという問題がある。
課題を解決するための手段
【０００９】
本発明は、上記従来技術による問題点を解決して、屋根抜き煙道において、架台を付け、立ち上がりのある一体型または上下等の水切りを付け、キャップ型フラッシングの先端に、煙突の接続を持ってきたこと、その上に接続用煙突にレーザー溶接等で固定したストームカラー取付けた二重断熱煙突を接続し、接続部分に後付ストームカラーを付つけたこと、もちろん先に屋根勾配型架台付キャップ型フラッシングを施工してあるところに二重断熱煙突の施工をするものとする。
【００１０】
とにかく雨仕舞い良くするために  瓦葺には瓦葺用水切り、金属屋根平葺、セメント平板  平葺用水切りを用意するとともにキャップ型フラッシングを付けることにより、煙道において雨仕舞いを良くすることを課題とする。
【００１１】
本発明の屋根勾配型架台付キャップ型フラッシング構造体は一体型水切りまたは上下二分割の水切りを付けたこと、またその水切りの谷部分と山部分に水返しを設けたこと、そしてまたフラッシングをキャップ型にすることによりシーリング処理に頼ることなく雨仕舞いが格段に良くなる状態が得られる。キャップ型フラッシングのすぐ上に二重断熱煙突の接続を設けて、接続バンドを設け、さらに(上段に)レーザー溶接等により二重煙突直接、固定のストームカラー付きの二重煙突を取付けたこと、そしてその煙突接続バンドのすぐ上のところに後付のストームカラーを取付け、ここにはシーリング処理をする、全体ではシーリングに頼ることなくなるので、より雨仕舞い良くして、提供することを課題とする。
どうして屋根抜き煙道施工が優れているかについて述べてみたいと思います
薪ストーブを着火する時にすぐドラフト効果（煙突の引く力）があり、すぐ燃え上がるのは屋根抜き施工しかありません    なぜかといいますと上抜き、つまり屋根抜き施工は空気の引きが良く  鞴（ふいご  ）を使用しているくらい、着火から燃焼がスムーズに立ち上がり  わずかな時間で燃焼まで行くことができるのである。
どなたも薪ストーブがこんなにスムーズに着火、燃焼ができるとは想像もできないと言われます。シーリング処理に頼ることなく本発明の屋根勾配型架台付キャップ型フラッシング構造体を使用すれば  施工が合理化され、工程も短縮して、そしてまた雨仕舞いが良くなり一層実用的になる。
【発明を実施するための最良の形態】
【００１２】
本発明の実施の形態を図面に基づいてその作用効果を簡単に説明する。
【００１３】
屋根勾配型架台付キャップ型フラッシングの図面を使って説明をします。
野地板材11よりも架台1を立ち上げて、一体型水切り5を付けることにより雨水の流れが良好に行われる構造にしました。
なお専用水切り5には谷部と山部に水返し13をつけることにより他所に雨水がいかないようにしたことがいままでに無かったことである。
そして軒側の水切り5については水返し13を山部のみとして谷部は水返し13はなしとして屋根仕上げ材12にいちはやく  雨水を流せる構造にしている。
【００１４】
7貫通部内部はケイ酸カルシウム板等7で不燃材仕上げとして火災は十分、注意を払った構造としてます。
煙突固定金具3が木製木枠1に堅く取付けできるように木製木枠1に下地を設けている、そして木製木枠1の下部分はタルキ10、野地板11の開口部分に落とし構造としてあるので木製木枠1は屋根から滑り落ちることなく、簡単に落とし込むができる構造に仕上げてあります。あとはビスや釘で留めていただれば、よいことになってます。
二重断熱煙突6は高性能断熱シリカ等やロックウール（岩綿）をつめて二重断熱
煙突6として製造された断熱効果のよい煙突である火災の心配も少なくすみます。
天井仕切り板8は金属製で貫通部内部が常に点検できるようにビスや釘17で留めのである。
【００１５】
キャップ型フラッシング2については、雨仕舞いにたいへん注意を注ぎ、雨が漏らない構造にしました。  丁寧の施工者は水返し13の部分にシーリング9をいれてもらいます。そしてまたより丁寧の施工者は追加してＬ型の水切りをキャップ型フラッシング2のオダレ部分に取付けて、より完璧にすることも可能である。
【００１６】
キャップ型フラッシング2のすぐ上に二重断熱煙突6の接続を設け14その接続より５０ｍｍ〜７０ｍｍくらい上にレーザー溶接等19により固定のストームカラー4−1を取り付けられた二重断熱煙突を接続14し、接続バンド14で取付ける、その接続バンド14のすぐ上に(下段 )後付ストームカラー4を取付けることとする、そしてここにはシーリング処理9をすることとする。
二重断熱煙突6は固定金具3より架台1に固定される。
【００１７】
従って一般的な(従来の )フラッシングに比べて架台1を付けているために水切り5大きく立ち上げているので雨仕舞いが良くなっている、そしてまたキャップ型フラッシング2にすることによりたいへん雨仕舞いが良くなりました。
ストームカラーも２段にしてある、そして上段は二重断熱煙突6に直接レーザー熔接処理加工19してあるのでこれもまた雨仕舞いが良くなると思われます。
【００１８】
実施例1
図1は本発明の第1の実施例に係わるストーブや燃焼物の排煙をするものであり
屋根部分に架台1を付けて、立上げを設けたこと、屋根部分に固定された架台に二重断熱煙突6をさらに固定金具3で固定する。
キャップ型フラッシング2のすぐ上に二重煙突6の接続14がくるように固定金具3で固定するものとする。
煙道において屋根部分と建物部分との接続、固定において雨仕舞いを確実にさせるための一体型大きめの水切り5を設けたこと、そして木製木枠1にビス等で横から固定する、キャップ  型のフラシング2をやはり木製木枠1に水切り5の横上から固定することにより、たいへん雨仕舞いが確実的に実施されることが確定されるようになりました。
まず屋根勾配型架台付フラシング2のすぐ上には二重断熱煙突6の接続14をもうけて、その接続から５０ｍｍ〜７０ｍｍくらいのところにレーザー溶接等19で固定されたストームカラー4−1をつけた二重断熱煙突を接続、接続14で接続します、その接続バンド14のすぐ上に後付のストームカラー4を付けて、ここにはシーリング処理9することとする、より雨仕舞いが良くなります。
7貫通部分内部は不燃材仕上げとしてあります。
そして天井下から貫通部分を点検できるように天井仕切り板8( 金属板)をビスや釘17で留めて  いつも点検できるようにしてあります。
二重断熱煙突6には高性能断熱シリカ等や岩綿  ロックウールをつめてあるために高断熱の煙突を提供するために火災の心配もすることなく、ストーブ環境を提案できる屋根勾配型架台付キャップ型フラッシング2によりストーブの性能を十分引き出すことができる屋根勾配型架台付キャップ型フラッシング構造体である。  
【００１９】
実施例2
次に、本発明の第２の実施例について説明する。室内の天井はいつも勾配天井とは限りません  水平天井の場合は二重断熱煙突6も水平天井よりも下げて施工工事とする、そして天井仕切り板8は水平の物を用意して取付けることとする。
水平仕切り板8はまたいつでも屋根勾配型架台付フラッシング構造体内部を点検することが可能状態で施工するものとする。
また天井の中、煙突廻りは不燃材仕上げにすることとする。
そして水平天井より下に出ている二重断熱煙突6の下よりシングル煙突16として家中に暖気を放熱してもらうように施工します。
実施例1、実施例2とも今までは、ストーブ専門の業者のみの施工工事とされていたが、今回開発の屋根勾配型架台付キャップ型フラッシング構造体を使用した時にはストーブ専門の業者の施工でなく  建築工事に携わる板金工事業者等、木工事業者(大工 )でも施工が可能となり、上棟後、あるいは上棟時に、すぐに架台付、専用水切りが付いている、屋根勾配型架台付キャップ型フラッシング構造体が施工されるので、瓦施工業者、屋根施工業者がすくに屋根工事を施工することができ、雨仕舞いの良い屋根工事がて゛きるのである。
煙突工事も屋根工事とは関係なく工事を進めることができ、以前には考えられないくらい合理的、経済的になりました。
屋根工事業者も煙突まわりの工事に１日、2日くらいの施工がかかっていましたが半日くらいになり、施工工事もたいへん楽になります。
また屋根抜きにすることにより、煙突のメンテナンスも非常に楽になります、それはこういうことです、着火、燃焼がスムーズになること、屋根抜きにすると、着火するとドラフト効果により、鞴(ふいご )を使っているくらいに吸い込みがよく、とても早く燃焼化するところまでいくのである。
今までの壁出し施工ではストーブ本体が200度になるまで35分から40分くらいかかっていましたが屋根出し施工にしますと、200度になるのに20分くらいですみます、このことから低い温度で燃焼しますとその間黒い煙がでます、未燃焼物質(黒い煙)が長い間で続けてでます、それが煙突内部に付着するのである。その繰り返しが煙突掃除に関係することとなるのです。
これから考えられることは、薪ストーブの性能を引き出すのにもたいへんよいのは屋根出しであるあることがわかります。
煙突掃除も１シーズン、最後に点検を兼ねて掃除をするくらいですむようになります。
しかし生薪やクリーンバーニングでないストーブを使用すると、毎月掃除することになることもあります。
このようなことから屋根出し、今回開発の雨仕舞いのよい屋根勾配型架台付キャップ型フラッシング構造体を使用することが重要となります。
この製品を使用することはたいへん施工方法とその後のメンテナンスの上でも合理化な、経済的な施工方法と言うことができるのである。
ストーブ施工工事
今までは上棟後に
１回目  開口して回りを不燃化して、二重断熱煙突を野地板に固定する、
その後屋根工事屋さんが工事をしながらフラッシンクのみを留めていた
２回目  屋根工事後外部煙突仕上げ
３回目完成近くに  ストーブ本体と煙突接続ならびに試燃しをしてきました。
この開発製品導入のとき
この屋根勾配型架台付キャップ型フラッシング構造体を取付け施工したときには
ストーブ施工工事としては
１回目    架台取付け及び水切り取付け
外部煙突工事完成し、フラッシング工事施工も済ませる
２回目（最後）完成近くに  ストーブ本体と煙突接続ならびに試燃し
今後は１回目の工事は  屋根工事業者や木工事（大工）が代わりに施工
をお願いできると考えられます。
ストーブ施工業者としては２回目（最後）工事だけですむと考えられます。
繁雑で時間と高度な技術を要する作業を削減あるいわ省略することができ
屋根施工の工程内に繰り込むことによって、施工時間の削減と工程の大幅の短縮が可能なフラッシング構造体を提供すること、すごく合理的な、経済的な施工方法といえると思われます。 
【図面の簡単な説明】
【００２０】
【図１】本発明の第1、及び第2の実施例に係わるフラッシング構造体縦断面図
【図２】本発明の第1、及び第2の実施例に係わるフラッシング構造体の鳥瞰図
【符号の説明】
【００２１】
1              
架台
2              
キャップ型フラッシング
3              
固定金具
4              
後付ストームカラー
4−1  レーザー熔接固定式
ストームカラー
5              
一体型水切り
6              
二重断熱煙突
7              
ケイ酸カルシウム板等
8              
天井仕切り板
9              
シーリング処理
10          
タルキ
11          
野地板
12          
屋根仕上げ材
13          
水切りの水返し
14          
二重煙突接合部、接続バンド
15          
煙突アダプター（二重煙突からシングル煙突にする時に使用する  ）
16          
シングル煙突
17          
ビス
18          
下地材
19          
レーザー熔接処理加工
20    透湿.防水シート
【図１】
2007051439.tif 000003
【図２】
2007051439.tif 000004